(57)【要約】【課題】構成素子の個数を減少した低コストの双方向光アド/ドロップマルチプレクサーとこれを用いた双方向波長分割多重方式の環状ネットワークを提供する。【解決手段】アド入力された順方向光信号のうち、第１の光信号を反射し、残りの順方向光信号を通過させる第１のフィルターと、入力された逆方向光信号のうち、第２の光信号を反射し、残りの逆方向光信号を通過させる第２のフィルターと、反射された第２の光信号を、第２のドロップ端に出力し、第１のアド端から入力された第１の光信号を、第１のフィルターに出力することによって、第１の光信号と順方向光信号とを結合する第１の光スプリッターと、反射された第１の光信号を、第１のドロップ端に出力し、第２のアド端から入力された第２の光信号を第２のフィルターに出力することによって、第２の光信号と逆方向光信号とを結合する第２の光スプリッターとを含む。【選択図】 図２
2006094517.tif 000002
【特許請求の範囲】
【請求項１】
入力された順方向光信号のうち、第１の波長の第１の光信号を反射し、残りの順方向光信号を通過させるための第１のフィルターと、
入力された逆方向光信号のうち、第２の波長の第２の光信号を反射し、残りの逆方向光信号を通過させるための第２のフィルターと、
前記第２のフィルターで反射され前記第１のフィルターを通過した第２の光信号を、接続された第２のドロップ端に出力し、接続された第１のアド端から入力された第１の光信号を、前記第１のフィルターに出力することによって、前記第１のフィルターでの反射により前記第１のアド端から入力された第１の光信号と前記順方向光信号とを結合するための第１の光スプリッターと、
前記第１のフィルターで反射され前記第２のフィルターを通過した第１の光信号を、接続された第１のドロップ端に出力し、接続された第２のアド端から入力された第２の光信号を、前記第２のフィルターに出力することによって、前記第２のフィルターでの反射により前記第２のアド端から入力された第２の光信号と前記逆方向光信号とを結合するための第２の光スプリッターと、
を備えることを特徴とする双方向光アド/ドロップマルチプレクサー。
【請求項２】
前記第１のフィルター及び前記第２のフィルターは、各々透明基板と該基板の両面にコーティングされた多層薄膜からなる両面薄膜フィルターであることを特徴とする請求項１記載の双方向光アド/ドロップマルチプレクサー。 
【請求項３】
前記第１の光スプリッターは、第１乃至第３のポートを備え、前記第１のポートは前記第１のアド端に接続し、前記第２のポートは前記第１のフィルターと接続し、前記第３のポートは前記第２のドロップ端に接続する光循環器であること
を特徴とする請求項１記載の双方向光アド/ドロップマルチプレクサー。 
【請求項４】
前記第２の光スプリッターは、第１乃至第３のポートを備え、前記第１のポートは前記第２のアド端に接続し、前記第２のポートは前記第２のフィルターに接続し、前記第３のポートは前記第１のドロップ端に接続する光循環器であること
を特徴とする請求項１記載の双方向光アド/ドロップマルチプレクサー。 
【請求項５】
前記第１のフィルターは、第１の光経路交差点に整列され、前記第２のフィルターは、第２の光経路交差点に整列されることを特徴とする請求項１記載の双方向光アド/ドロップマルチプレクサー。 
【請求項６】
前記第１及び第２の光経路交差点を有する光経路は、光ファイバーであることを特徴とする請求項５記載の双方向光アド/ドロップマルチプレクサー。 
【請求項７】
前記第１及び第２の光経路交差点を有する光経路は、光導波路であることを特徴とする請求項５記載の双方向光アド/ドロップマルチプレクサー。 
【請求項８】
前記第１のフィルターは、第１の光経路と所定の角度で整列され、前記第２のフィルターは、第２の光経路と所定の角度で整列されることを特徴とする請求項１記載の双方向光アド/ドロップマルチプレクサー。
【請求項９】
前記所定の角度は４５度であることを特徴とする請求項８記載の双方向光アド/ドロップマルチプレクサー。 
【請求項１０】
第１及び第２の交差点を有する第１及び第２の光経路と、 
前記第１の交差点に配置され、前記第１の光経路を通じて入力された順方向光信号のうち、第１の波長の第１の光信号を、前記第２の光経路に反射し、残りの順方向光信号を通過させるための第１のフィルターと、 
前記第２の交差点に配置され、前記第１の光経路を通じて入力された逆方向光信号のうち、第２の波長の第２の光信号を、前記第２の光経路に反射し、残りの逆方向光信号を通過させるための第２のフィルターと、 
前記第２の光経路の一端側に配置され、前記第２のフィルターで反射され前記第１のフィルターを通過した前記第２の光信号を、接続された第２のドロップ端に出力し、接続された第１のアド端から入力された第１の光信号を、前記第１のフィルターに出力することによって、前記第１のフィルターでの反射により前記第１のアド端から入力された第１の光信号と前記順方向光信号とを結合するための第１の光スプリッターと、 
前記第２の光経路の他端側に配置され、前記第１のフィルターで反射され前記第２のフィルターを通過した前記第１の光信号を、接続された第１のドロップ端に出力し、接続された第２のアド端から入力された第２の光信号を、前記第２のフィルターに出力することによって、前記第２のフィルターでの反射により前記第２のアド端から入力された第２の光信号と前記逆方向光信号とを結合するための第２の光スプリッターと、
を備えることを特徴とする双方向光アド/ドロップマルチプレクサー。 
【請求項１１】
前記第１のフィルター及び前記第２のフィルターは、各々透明基板と該基板の両面にコーティングされた多層薄膜からなる両面薄膜フィルターであることを特徴とする請求項１０記載の双方向光アド/ドロップマルチプレクサー。 
【請求項１２】
前記第１の光スプリッターは、第１乃至第３のポートを備え、前記第１のポートは前記第１のアド端に接続し、前記第２のポートは前記第１のフィルターと接続し、前記第３のポートは前記第２のドロップ端に接続する光循環器であること
を特徴とする請求項１０記載の双方向光アド/ドロップマルチプレクサー。 
【請求項１３】
前記第２の光スプリッターは、第１乃至第３のポートを備え、前記第１のポートは前記第２のアド端に接続し、前記第２のポートは前記第２のフィルターに接続し、前記第３のポートは前記第１のドロップ端に接続する光循環器であること
を特徴とする請求項１０記載の双方向光アド/ドロップマルチプレクサー。 
【請求項１４】
前記第１及び第２の光経路は、光ファイバーで構成されることを特徴とする請求項１０記載の双方向光アド/ドロップマルチプレクサー。 
【請求項１５】
前記第１及び第２の光経路は、光導波路で構成されることを特徴とする請求項１０記載の双方向光アド/ドロップマルチプレクサー。 
【請求項１６】
前記第１のフィルターは、第１の光経路と４５度の角度で整列され、前記第２のフィルターは、第２の光経路と４５度の角度で整列されることを特徴とする請求項１０記載の双方向光アド/ドロップマルチプレクサー。 
【請求項１７】
中央基地局と、前記中央基地局と伝送ラインを通じて環状構造で接続される複数のリモートノードとを有する双方向波長分割多重方式の環状ネットワークであって、
前記各リモートノードは、
前記伝送ラインを通じて入力された順方向及び逆方向光信号のうち、第１の波長を有する第１の光信号と第２の波長を有する第２の光信号とを分岐し、前記第１の光信号及び前記第２の光信号を前記伝送ラインに結合するための双方向光アド/ドロップマルチプレクサーを備え、
前記双方向光アド/ドロップマルチプレクサーは、 
入力された順方向光信号のうち、第１の波長を有する第１の光信号を反射し、残りの順方向光信号を通過させるための第１のフィルターと、
入力された逆方向光信号のうち、第２の波長を有する第２の光信号を反射し、残りの逆方向光信号を通過させるための第２のフィルターと、 
前記第２のフィルターで反射され前記第１のフィルターを通過した第２の光信号を、接続された第２のドロップ端に出力し、接続された第１のアド端から入力された第１の光信号を、前記第１のフィルターに出力することによって、前記第１のフィルターでの反射により前記第１のアド端から入力された第１の光信号と前記順方向光信号とを結合するための第１の光スプリッターと、
前記第１のフィルターで反射され前記第２のフィルターを通過した第１の光信号を、接続された第１のドロップ端に出力し、接続された第２のアド端から入力された第２の光信号を、前記第２のフィルターに出力することによって、前記第２のフィルターでの反射により前記第２のアド端から入力された第２の光信号と前記逆方向光信号とを結合するための第２の光スプリッターと、
を備えることを特徴とする双方向波長分割多重方式の環状ネットワーク。 
【請求項１８】
前記第１のフィルターは、第１の光経路交差点に整列され、前記第２のフィルターは、第２の光経路交差点に整列されることを特徴とする請求項１７記載の双方向波長分割多重方式の環状ネットワーク。 
【請求項１９】
前記第１のフィルターは、第１の光経路と所定の角度で整列され、前記第２のフィルターは、第２の光経路と所定の角度で整列されることを特徴とする請求項１７記載の双方向波長分割多重方式の環状ネットワーク。
【請求項２０】
前記所定の角度は、４５度であることを特徴とする請求項１９記載の双方向波長分割多重方式の環状ネットワーク。
【発明の詳細な説明】
【技術分野】
【０００１】
本発明は光アド/ドロップマルチプレクサーに関し、特に、双方向光アド/ドロップマルチプレクサー及びこれを用いた波長分割多重方式の環状ネットワークに関するものである。 
【背景技術】
【０００２】
近年、インターネットを中心とする多様なマルチメディアサービスに対する需要が急増するに従って、大容量の情報を高速に提供できる経済的な受動形光加入者網(Ｐａｓｓｉｖｅ  Ｏｐｔｉｃａｌ  Ｎｅｔｗｏｒｋ：ＰＯＮ)に関する研究が、活発に進められている。受動形光加入者網は、サービスを提供する中央基地局(Ｃｅｎｔｒａｌ  Ｏｆｆｉｃｅ：ＣＯ）と、このサービスが提供される複数の加入者装置(ｓｕｂｓｃｒｉｂｅｒ）と、加入者隣接地域に設けられて中央基地局及び複数の加入者装置を接続するリモートノード(Ｒｅｍｏｔｅ  Ｎｏｄｅ：ＲＮ)とを含み、中央基地局及び加入者装置を除いた屋外網が受動形光素子のみで構成されることが一般的である。数十万〜数百万の加入者が密集して分布する都市地域では、一つの中央基地局に、すべての加入者を受容する加入者網を構築することは不可能であるため、一定規模の加入者装置を受容可能なリモートノードを中心とする複数の加入者網を構築し、中央基地局は、リモートノードを受け入れて通信するメトロ加入者網(ｍｅｔｒｏ  ａｃｃｅｓｓ  ｎｅｔｗｏｒｋ）を構築することが現実的である。
【０００３】
近年、メトロ加入者網で増加する通信帯域幅の需要を容易に対応するために、波長分割多重方式の伝送技術を適用し、ネットワークの信頼性の確保が可能で、拡張が容易な、環状構造についての研究が行われている。メトロ加入者網においては、中央基地局とリモートノードが環状に接続し、固有波長の光信号を用いて、互いに通信を行う。各リモートノードは、中央基地局と固有波長の光信号を用いて通信するため、中央基地局から伝送される該当波長の光信号を分岐(ｄｒｏｐ)して受信し、中央基地局に伝送する該当波長の光信号を結合(ａｄｄ)して伝送することができるアド/ドロップ機能が要求される。  
【０００４】
図１は、一般的な双方向光アド/ドロップマルチプレクサーを示す図である。図１に示すように、双方向光アド/ドロップマルチプレクサー１００は、伝送ライン(ｔｒａｎｓｍｉｓｓｉｏｎ  ｌｉｎｅ)１７０、１７５の上に配置され、第１〜第６の循環器(ｃｉｒｃｕｌａｔｏｒ)１１０、１１２、１１４、１１６、１１８、１２０と、第１及び第２の光ファイバブラッグ格子(Ｆｉｂｅｒ  Ｂｒａｇｇ  Ｇｒａｔｉｎｇ：以下、“ＦＢＧ”とする)１３０、１３５と、を含む。第２及び第３の循環器１１２、１１４と第１のＦＢＧ１３０は、第１の循環器１１０と第４の循環器１１６とを接続する第１の光経路(ｏｐｔｉｃａｌ  ｐａｔｈ)１４０の上に配置され、第５及び第６の循環器１１８、１２０と第２のＦＢＧ１３５は、第１の循環器１１０と第４の循環器１１６とを接続する第２の光経路１４５の上に配置される。 
【０００５】
第１の循環器１１０は、第１〜第３のポートを有し、第１のポートは第６の循環器１２０と接続し、第２のポートは伝送ライン１７０に接続し、第３のポートは第２の循環器１１２と接続する。第１の循環器１１０は、第２のポートに入力された第１の光信号λ１を第３のポートに出力し、第１のポートに入力された第２の光信号λ２を第２のポートに出力する。 
【０００６】
第２の循環器１１２は、第１〜第３のポートを有し、第１のポートは第１の循環器１１０の第３のポートと接続し、第２のポートは第１のＦＢＧ１３０と接続し、第３のポートは第１のドロップ端(ｄｒｏｐ  ｔｅｒｍｉｎａｌ)１６０と接続する。第２の循環器１１２は、第１のポートに入力された第１の光信号λ１を第２のポートに出力し、第２のポートに入力された第１の光信号λ１を第３のポートに出力する。 
【０００７】
第１のＦＢＧ１３０は、第２の循環器１１２の第２のポートと第３の循環器１１４の第２のポートとの間に配置され、入力された第１の光信号λ１を反射する。すなわち、第１のＦＢＧ１３０は、第２の循環器１１２から入力された第１の光信号λ１を第２の循環器１１２に反射し、第３の循環器１１４から入力された第１の光信号λ１を第３の循環器１１４に反射する。第１及び第２のＦＢＧ１３０、１３５は、各々予め定められた波長の光信号を反射し、残りの波長の光信号は通過させる特性を有する。
【０００８】
第３の循環器１１４は、第１〜第３のポートを有し、第１のポートは第１のアド端(ａｄｄ  ｔｅｒｍｉｎａｌ)１５０と接続し、第２のポートは第１のＦＢＧ１３０と接続し、第３のポートは第４の循環器１１６の第１のポートと接続する。第３の循環器１１４は、第１のポートに入力された第１の光信号λ１を第２のポートに出力し、第２のポートに入力された第１の光信号λ１を第３のポートに出力する。
【０００９】
第４の循環器１１６は、第１〜第３のポートを有し、第１のポートは第３の循環器１１４の第３のポートと接続し、第２のポートは伝送ライン１７５と接続し、第３のポートは第５の循環器１１８の第１のポートと接続する。第４の循環器１１６は、第１のポートに入力された第１の光信号λ１を第２のポートに出力し、第２のポートに入力された第２の光信号λ２を第３のポートに出力する。 
【００１０】
第５の循環器１１８は、第１〜第３のポートを有し、第１のポートは第４の循環器１１６の第３のポートと接続し、第２のポートは第２のＦＢＧ１３５と接続し、第３のポートは第２のドロップ端１６５と接続する。第５の循環器１１８は、第１のポートに入力された第２の光信号λ２を第２のポートに出力し、第２のポートに入力された第２の光信号λ２を第３のポートに出力する。 
【００１１】
第２のＦＢＧ１３５は、第５の循環器１１８の第２のポートと第６の循環器１２０の第２のポートとの間に配置され、入力された第２の光信号λ２を反射する。すなわち、第２のＦＢＧ１３５は、第５の循環器１１８から入力された第２の光信号λ２を第５の循環器１１８に反射し、第６の循環器１２０から入力された第２の光信号λ２を第６の循環器１２０に反射する。 
【００１２】
第６の循環器１２０は、第１〜第３のポートを有し、第１のポートは第２のアド端１５５と接続し、第２のポートは第２のＦＢＧ１３５と接続し、第３のポートは第１の循環器１１０の第１のポートと接続する。第６の循環器１２０は、第１のポートに入力された第２の光信号λ２を第２のポートに出力し、第２のポートに入力された第２の光信号λ２を第３のポートに出力する。 
【００１３】
双方向光アド/ドロップマルチプレクサー１００が、伝送ライン１７０から入力された第１の光信号λ１を分岐する過程について説明すると、下記のようである。 
【００１４】
伝送ライン１７０を通じて双方向光アド/ドロップマルチプレクサー１００に入力される第１の光信号λ１は、第１及び第２の循環器１１０、１１２を順次通過して第１のＦＢＧ１３０に入力され、第１のＦＢＧ１３０によって反射された第１の光信号λ１は、第２の循環器１１２を通じて第１のドロップ端１６０に出力される。 
【００１５】
双方向光アド/ドロップマルチプレクサー１００が、伝送ライン１７５に第１の光信号λ１を結合する過程について説明すると、下記のようである。 
【００１６】
第１のアド端１５０を通じて入力された第１の光信号λ１は、第３の循環器１１４を通じて第１のＦＢＧ１３０に入力され、第１のＦＢＧ１３０によって反射された第１の光信号λ１は、第３及び第４の循環器１１４、１１６を順次通過して伝送ライン１７５に出力される。 
【００１７】
双方向光アド/ドロップマルチプレクサー１００が、伝送ライン１７５から入力された第２の光信号λ２を分岐する過程を説明すると、次のようである。
【００１８】
伝送ライン１７５を通じて双方向光アド/ドロップマルチプレクサー１００に入力される第２の光信号λ２は、第４及び第５の循環器１１６、１１８を順次通過して第２のＦＢＧ１３５に入力され、第２のＦＢＧ１３５によって反射された第２の光信号λ２は、第５の循環器１１８を通じて第２のドロップ端１６５に出力される。 
【００１９】
双方向光アド/ドロップマルチプレクサー１００が、伝送ライン１７０に第２の光信号λ２を結合する過程を説明すると、次のようである。 
【００２０】
第２のアド端１５５を通じて入力された第２の光信号λ２は、第６の循環器１２０を通して第２のＦＢＧ１３５に入力され、第２のＦＢＧ１３５によって反射された第２の光信号は、第６及び第１の循環器１２０、１１０を順次通過して伝送ライン１７０に出力される。 
【発明の開示】
【発明が解決しようとする課題】
【００２１】
しかしながら、上述したような双方向光アド/ドロップマルチプレクサー１００は、循環器１１０、１１２、１１４、１１６、１１８、１２０のように、高価な循環器を６個も使用する必要があるため、実現に高いコストがかかるという問題点があった。また、分岐或いは結合される光信号が通過する光素子の数が多いため、光損失が大きいという問題点があった。
【００２２】
また、ＦＢＧ１３０、１３５の不完全な反射特性により、同一の波長の光信号による漏話(ｃｒｏｓｓｔａｌｋ)が生じるという問題点があった。すなわち、ＦＢＧ１３０、１３５によって反射された後に分岐される光信号が、ＦＢＧ１３０、１３５で完全に反射されず、光信号の一部がＦＢＧ１３０、１３５を通過すると、通過した光信号が、ＦＢＧ１３０、１３５で反射されて、結合される同一の波長の光信号を漏話させる。その反対に、ＦＢＧ１３０、１３５によって反射されてから結合される光信号が、ＦＢＧ１３０、１３５で全く反射されず、光信号の一部がＦＢＧ１３０、１３５を通過すると、この通過した光信号が、ＦＢＧ１３０、１３５で反射された後に分岐される同一の波長の信号を漏話させる。したがって、ＦＢＧ１３０、１３５の該当波長の光信号を反射する反射率が非常に高くなければ、同一の波長の光信号による漏話を抑制することができない。
【００２３】
上述した従来技術の問題点を解決するために、本発明の目的は、双方向波長分割多重方式の環状ネットワークを経済的に実現するために、各リモートノードにおいて、従来のアド/ドロップマルチプレクサーより構成素子の個数が減少する低コストの双方向光アド/ドロップマルチプレクサーとこれを用いた双方向波長分割多重方式の環状ネットワークを提供することにある。 
【課題を解決するための手段】
【００２４】
上記の目的を達成するために、本発明は、双方向光アド/ドロップマルチプレクサーであって、入力された順方向光信号のうち、所定の第１の光信号を反射し、残りの順方向光信号を通過させるための第１のフィルターと、入力された逆方向光信号のうち、所定の第２の光信号を反射し、残りの逆方向光信号を通過させるための第２のフィルターと、第１のフィルターを通じて、反射された第２の光信号を、接続された第２のドロップ端に出力し、接続された第１のアド端から入力された第１の光信号を、第１のフィルターに出力することによって、第１のフィルターでの反射により第１の光信号と順方向光信号とを結合するための第１の光スプリッターと、第２のフィルターを通じて、反射された第１の光信号を、接続された第１のドロップ端に出力し、接続された第２のアド端から入力された第２の光信号を、第２のフィルターに出力することによって、第２のフィルターでの反射により第２の光信号と逆方向光信号とを結合するための第２の光スプリッターと、を備えることを特徴とする。
【００２５】
また、本発明は、双方向光アド/ドロップマルチプレクサーであって、第１及び第２の交差点を有する第１及び第２の光経路と、第１の交差点に配置され、第１の光経路を通じて入力された順方向光信号のうち、第１の波長を有する第１の光信号を第２の光経路に反射し、残りの順方向光信号を通過させるための第１のフィルターと、第２の交差点に配置され、第１の光経路を通じて入力された逆方向光信号のうち、第２の波長を有する波長の第２の光信号を、第２の光経路に反射し、残りの逆方向光信号を通過させるための第２のフィルターと、第２の光経路の一端側に配置され、第１のフィルターを通過した、反射された第２の光信号を、接続された第２のドロップ端に出力し、接続された第１のアド端から入力された第１の光信号を、第１のフィルターに出力することによって、第１のフィルターでの反射により第１の光信号と順方向光信号とを結合するための第１の光スプリッターと、第２の光経路の他端側に配置され、第２のフィルターを通過した反射された第１の光信号を、接続された第１のドロップ端に出力し、接続された第２のアド端から入力された第２の光信号を第２のフィルターに出力することによって、第２のフィルターでの反射により第２の光信号と逆方向光信号とを結合するための第２の光スプリッターと、を備えることを特徴とする。
【００２６】
さらに、本発明は、中央基地局と、中央基地局と伝送ラインを通じて環状構造で接続される複数のリモートノードとを含む双方向波長分割多重方式の環状ネットワークであって、各リモートノードは、伝送ラインを通じて入力された順方向及び逆方向光信号のうち、所定の波長の第１及び第２の光信号を分岐し、第１及び第２の光信号を、伝送ラインに結合するための双方向光アド/ドロップマルチプレクサーを備え、双方向光アド/ドロップマルチプレクサーは、入力された順方向光信号のうち、第１の波長を有する第１の光信号を反射し、残りの順方向光信号を通過させるための第１のフィルターと、入力された逆方向光信号のうち、第２の波長を有する第２の光信号を反射し、残りの逆方向光信号を通過させるための第２のフィルターと、第１のフィルターを通じて反射された第２の光信号を、接続された第２のドロップ端に出力し、接続された第１のアド端から入力された第１の光信号を、第１のフィルターに出力することによって、第１のフィルターでの反射により第１の光信号と順方向光信号とを結合するための第１の光スプリッターと、第２のフィルターを通じて反射された第１の光信号を、接続された第１のドロップ端に出力し、接続された第２のアド端から入力された第２の光信号を前記第２のフィルターに出力することによって、第２のフィルターでの反射により第２の光信号と逆方向光信号とを結合するための第２の光スプリッターと、を備えることを特徴とする。
【発明の効果】
【００２７】
本発明による双方向光アド/ドロップマルチプレクサーは、従来のアド/ドロップマルチプレクサーより少ない構成素子を備えることによって、光損失が小さく、低コストで実現できる利点がある。同様に、本発明による双方向光アド/ドロップマルチプレクサーを用いた双方向波長分割多重方式の環状ネットワークも光損失が小さく、低コストで実現できる利点がある。 
【００２８】
また、本発明による双方向光アド/ドロップマルチプレクサーを用いた双方向波長分割多重方式の環状ネットワークは、分岐又は結合される信号が通過する光素子の数を減じて損失を小さくすることによって、対応可能なリモートノードの数と伝送距離を拡張することができる利点がある。 
【００２９】
また、本発明による双方向光アド/ドロップマルチプレクサーを用いた双方向波長分割多重方式の環状ネットワークは、１本の伝送ラインを通じて双方向に光信号を伝送することによって、伝送ラインの伝送効率を増加させて、ネットワークを低コストで構築することが可能となる。また、伝送ラインで障害が生じたときに迅速に復旧することが可能なため、ネットワークの信頼性を確保することができる効果がある。
【発明を実施するための最良の形態】
【００３０】
以下、本発明の望ましい実施形態を添付の図面を参照して詳細に説明する。
【００３１】
なお、本発明に関連した公知の機能や構成に関する具体的な説明が、本発明の要旨を不明確にすると判断された場合には、その詳細な説明を省略する。
【００３２】
図２は、本発明の好ましい実施形態による双方向光アド/ドロップマルチプレクサーを示す図である。図２を参照すると、双方向光アド/ドロップマルチプレクサー２００は、伝送ライン上に配置された第１及び第２のフィルター（ＦＴ１、ＦＴ２）２１０、２２０と、光スプリッターとして動作する第１及び第２の循環器２３０、２４０とを含む。第１及び第２のフィルター２１０、２２０は、第１の光経路２７０上に順次配置される。第１の循環器２３０、第１及び第２のフィルター２１０、２２０、及び第２の循環器２４０は、第２の光経路２７５上に順次配置される。
【００３３】
第１の光経路２７０の両端は、伝送ラインと接続する。第１及び第２の光経路２７０、２７５は、各々光ファイバー又は光導波路である。第１及び第２の光経路２７０、２７５は、２度交差し、各交差点には、該当第１及び第２のフィルター２１０、２２０が配置される。なお、図２において、第１及び第２の光経路２７０、２７５が３回交差するように見えるが、実際には、第１及び第２の光経路２７０、２７５は、２回交差しているのみである。ただし、第１及び第２の光経路２７０、２７５は、相互に３度交差することも可能である。 
【００３４】
第１のフィルター２１０は、第１及び第２の光経路２７０、２７５の第１の交差点上に配置される。第１のフィルター２１０は、入力された第１の光信号λ１を反射して第２の光経路２７５に出力し、残りの光信号λ２〜λ２Ｎを通過させる。第１の交差点で、第１及び第２の光経路２７０、２７５は直交し、第１のフィルター２１０は、各光経路と４５度の角度で配置される。第１及び第２のフィルター２１０、２２０は、所定の波長の光信号を反射し、残りの波長の光信号は通過させる特性を有する。また、第１及び第２のフィルター２１０、２２０は、各々透明基板とその透明基板の両面にコーティングされた多層薄膜からなる両面薄膜フィルターを含む。
【００３５】
第１〜第Ｎの光信号λ１〜λＮは、任意の通信網上における順方向光信号又は時計回りに進行する光信号である。第(Ｎ＋１)〜第２Ｎの光信号λＮ＋１〜λ２Ｎは、通信網上の逆方向光信号又は反時計回りに進行する光信号である。 
【００３６】
第２のフィルター２２０は、第１及び第２の光経路２７０、２７５の第２の交差点上に配置される。第２のフィルター２２０は、入力された第(Ｎ＋１)の光信号λＮ＋１を反射して第２の光経路２７５に出力し、残りの光信号λ１〜λＮ、λＮ＋２〜λ２Ｎを通過させる。第２の交差点で第１及び第２の光経路２７０、２７５は直交し、第２のフィルター２２０は、各光経路と４５度の角度で配置される。 
【００３７】
第１の循環器２３０は、第２の光経路２７５の一端側に配置され、第１〜第３のポートを有する。第１のポートは、第１のアド端２５０と接続し、第２のポートは、第１のフィルター２１０と接続し、第３のポートは、第２のドロップ端２６５と接続する。第１の循環器２３０は、第１のポートに入力された第１の光信号を第２のポートに出力し、第２のポートに入力された第(Ｎ＋１)の光信号λＮ＋１を、第３のポートに出力する。 
【００３８】
第２の循環器２４０は、第２の光経路２７５の他端側に配置され、第１〜第３のポートを有する。第１のポートは、第２のアド端２５５に接続し、第２のポートは、第２のフィルター２２０と接続し、第３のポートは、第１のドロップ端２６０と接続する。第２の循環器２４０は、第１のポートに入力された第(Ｎ＋１)の光信号λＮ＋１を第２のポートに出力し、第２のポートに入力された第１の光信号λ１を第３のポートに出力する。 
【００３９】
図３は、本発明の実施形態による双方向光アド/ドロップマルチプレクサー２００が、第１の光信号を分岐/結合する過程を説明するための図である。 
【００４０】
双方向光アド/ドロップマルチプレクサー２００が、伝送ラインから第１の光信号λ１を分岐する過程を説明すると、次のようである。 
【００４１】
伝送ラインを通じて双方向光アド/ドロップマルチプレクサー２００に入力される第１〜第Ｎの光信号λ１〜λＮのうち、第２〜第Ｎの光信号λ２〜λＮは、第１及び第２のフィルター２１０、２２０を順次通過して伝送ラインに出力される。第１の光信号λ１は、第１のフィルター２１０によって反射された後に、第２のフィルター２２０及び第２の循環器２４０を通して第１のドロップ端２６０に出力される。 
【００４２】
双方向光アド/ドロップマルチプレクサー２００が、伝送ラインに第１の光信号を結合する過程を説明すると、下記のようである。 
【００４３】
第１のアド端２５０を通じて入力された第１の光信号λ１は、第１の循環器２３０を通じて第１のフィルター２１０に入力される。第１のフィルター２１０によって反射された第１の光信号λ１は、第２のフィルター２２０を通して伝送ラインに出力される。 
【００４４】
図４は、本発明の実施形態による双方向光アド/ドロップマルチプレクサー２００が、第(Ｎ＋１)の光信号λＮ＋１を分岐/結合する過程を説明するための図である。 
【００４５】
双方向光アド/ドロップマルチプレクサー２００が、伝送ラインから第(Ｎ＋１)の光信号λＮ＋１を分岐する過程について説明すると、下記のようである。 
【００４６】
伝送ラインを通じて双方向光アド/ドロップマルチプレクサー２００に入力される第(Ｎ＋１)〜第２Ｎの光信号λＮ＋１〜λ２Ｎのうち、第(Ｎ＋２)〜第２Ｎの光信号λＮ＋２〜λ２Ｎは、第２及び第１のフィルター２２０、２１０を順次通過して伝送ラインに出力される。第(Ｎ＋１)の光信号λＮ＋１は、第２のフィルター２２０によって反射された後に、第１のフィルター２１０及び第１の循環器２３０を通じて第２のドロップ端２６５に出力される。
【００４７】
双方向光アド/ドロップマルチプレクサー２００が、伝送ラインに第(Ｎ＋１)の光信号を結合する過程を説明すると、次のようである。 
【００４８】
第２のアド端２５５を通じて入力された第(Ｎ＋１)の光信号λＮ＋１は、第２の循環器２４０を通して、第２のフィルター２２０に入力される。第２のフィルター２２０によって反射された第(Ｎ＋１)の光信号λＮ＋１は、第１のフィルター２１０を通して伝送ラインに出力される。 
【００４９】
図５は、本発明の実施形態による双方向光アド/ドロップマルチプレクサーを用いた双方向波長分割多重方式の環状ネットワークを示す図である。環状ネットワーク３００は、伝送ライン３０５を用いてリング構造で接続された中央基地局３１０と、第１〜第３のリモートノード４００-１〜４００-３とを含む。第１〜第３のリモートノード４００-１〜４００-３は、各々図２に示したような構成を有する双方向光アド/ドロップマルチプレクサー２００-１〜２００-３を含む。正常状態で、各リモートノード４００-１〜４００-３は、一本の伝送ライン３０５を通じて双方向に光信号を分岐/結合する。したがって、２個の光信号を通じて中央基地局３１０と通信するようになって、十分な通信帯域幅を確保することができる。 
【００５０】
環状ネットワーク３００は、優先度の高い(ｈｉｇｈ-ｐｒｉｏｒｉｔｙ)第１〜第３の光信号λ１〜λ３を反時計回りに伝送し、優先度の低い(ｌｏｗ-ｐｒｉｏｒｉｔｙ)第４〜第６の光信号λ１〜λ６を時計回りに伝送する。ここで、優先度の高い光信号とは、優先順位の高いデータが乗せられた光信号のことをいう。本実施形態で光信号の優先度の高低は、障害の発生有無により変更される。例えば、障害がない場合には、第３の光信号λ３は、優先度が高く、第６の光信号λ６は、優先度が低い。しかしながら、障害が生じた場合には、第６の光信号λ６は、優先度が高く、第３の光信号λ３は、優先度が低い。 
【００５１】
中央基地局３１０は、第１〜第６のスイッチ(ＳＷ)３２１〜３２６と、第１〜第６の光送信器(ＴＸ)３３１〜３３６と、第１〜第６の光受信器(ＲＸ)３４１〜３４６と、第１〜第６の波長分割マルチプレクサー(Ｗａｖｅｌｅｎｇｔｈ  Ｄｉｖｉｓｉｏｎ  Ｍｕｌｔｉｐｌｅｘｅｒ：以下、“ＷＤＭ”とする)３５０-１〜３５０-６と、第１及び第２のアレイ導波路回折格子(Ａｒｒａｙｅｄ  Ｗａｖｅｇｕｉｄｅ  Ｇｒａｔｉｎｇ：以下、“ＡＷＧ”とする)３６２、３６４とを含む。 
【００５２】
送信端のスイッチとしての第１〜第３のスイッチ３２１〜３２３は、データの送信を担当し、受信端スイッチとしての第４〜第６のスイッチ３２４〜３２６はデータの受信を担当する。第１〜第６のスイッチ３２１〜３２６は、障害のない場合には、バー(ｂａｒ)状態を維持する。一方、第１〜第６のスイッチ３２１〜３２６は、障害の生じた場合には、優先度の高いデータを送信又は受信するために、少なくとも一つのスイッチが、クロス(ｃｒｏｓｓ)状態でスイッチングされる。
【００５３】
バー状態で、第１〜第３のスイッチ３２１〜３２３の内の第ｍのスイッチは、優先度の高いデータが入力される高優先度端子Ｈを、第１〜第３の光送信器３３１〜３３３の内の第ｍの光送信器に接続する。また、第１〜第３のスイッチ３２１〜３２３の内の第ｍのスイッチは、優先度の低いデータが入力される低優先度端子Ｌを、第４〜第６の光送信器３３４〜３３６の内の第(ｍ＋３)の光送信器に接続する。このとき、ｍは３以下の自然数である。
【００５４】
クロス状態で、第１〜第３のスイッチ３２１〜３２３の内の第ｍのスイッチは、高優先度端子Ｈを、第４〜第６の光送信器３３４〜３３６の内の第(ｍ＋３)の光送信器に接続し、低優先度端子Ｌを、第１〜第３の光送信器３３１〜３３３の内の第ｍの光送信器に接続する。
【００５５】
バー状態で、第４〜第６のスイッチ３２４〜３２６の内の第（ｍ＋３）のスイッチは、優先度の高いデータを出力する高優先度端子Ｈを、第１〜第３の光受信器３４１〜３４３の内の第ｍの光受信器に接続し、優先度の低いデータを出力する低優先度端子Ｌを、第４〜第６の光受信器３４４〜３４６の内の第（ｍ＋３）の光受信器に接続する。
【００５６】
クロス状態で、第４〜第６のスイッチ３２４〜３２６の内の第（ｍ＋３）のスイッチは、高優先度端子Ｈを、第４〜第６の光受信器３４４〜３４６の内の第（ｍ＋３）光受信器に接続し、低優先度端子Ｌを、第１〜第３の光受信器３４１〜３４３の内の第ｍの光受信器に接続する。 
【００５７】
第１〜第６の光送信器３３１〜３３６は、各々入力されたデータによって生成された該当光信号を出力し、第１〜第３の光送信器３３１〜３３３及び第４〜第６の光送信器３３４〜３３６の内の、一対の第ｍ及び第(ｍ＋３)の光送信器（３３１，３３４）；（３３２，３３５）；（３３３，３３６）は、第１〜第３のスイッチ３２１〜３２３の内の第ｍのスイッチと接続する。第１〜第６の光送信器３３１〜３３６の内の第ｎの光送信器は、第ｎの光信号λｎを出力する。このとき、ｎは、６以下の自然数である。 
【００５８】
第１〜第６の光受信器３４１〜３４６は、各々入力された該当光信号を、データに変換して出力する。第１〜第３の光受信器３４１〜３４３及び第４〜第６の光受信器３４４〜３４６の内の、一対の第ｍ及び第(ｍ＋３)の光受信器（３４１，３４４）；（３４２，３４５）；（３４３，３４６）は、第４〜第６のスイッチ３２４〜３２６の内の第(ｍ＋３)のスイッチと接続する。第１〜第６の光受信器３４１〜３４６の内の第ｎの光受信器は、第ｎの光信号λｎを受信する。 
【００５９】
第１〜第６のＷＤＭ３５０-１〜３５０-６は、各々第１〜第３のポートを有する。第１〜第３のＷＤＭ３５０-１〜３５０-３は、第１のＡＷＧ３６２と接続し、第４〜第６のＷＤＭ３５０-４〜３５０-６は、第２のＡＷＧ３６４と接続する。第１〜第３のＷＤＭ３５０-１〜３５０-３の内の第ｍのＷＤＭは、第１のポートが、第１のＡＷＧ３６２の第ｍの逆多重化ポート(Ｄｅｍｕｌｔｉｐｌｅｘｉｎｇ  Ｐｏｒｔ：ＤＭ)ＤＰｍと接続し、第２のポートが、第１〜第３の光送信器３３１〜３３３の内の第ｍの光送信器と接続し、第３のポートが、第４〜第６の光受信器３４４〜３４６の内の第(ｍ＋３)の光受信器と接続する。
【００６０】
第１〜第３のＷＤＭ３５０-１〜３５０-３の内の第ｍのＷＤＭは、第１のポートに入力された第(ｍ＋３)の光信号λｍ＋３を、第３のポートを通じて、第４〜第６の光受信器３４４〜３４６の内の第(ｍ＋３)の光受信器に出力する。また、第１〜第３のＷＤＭ３５０-１〜３５０-３の内の第ｍのＷＤＭは、第１〜第３の光送信器３３１〜３３３の内の第ｍの光送信器から、第２のポートを通じて入力された第ｍの光信号λｍを第１のポートに出力する。 
【００６１】
第４〜第６のＷＤＭ３５０-４〜３５０-６の内の第(ｍ＋３)のＷＤＭの第１のポートは、第２のＡＷＧ３６４の第ｍの逆多重化ポートと接続し、第２のポートは、第４〜第６の光送信器３３４〜３３６の内の第(ｍ＋３)の光送信器と接続し、第３のポートが、第１〜第３の光受信器３４１〜３４３の内の第ｍの光受信器と接続する。第４〜第６のＷＤＭ３５０-４〜３５０-６の内の第（ｍ＋３）のＷＤＭは、第１のポートに入力された第ｍの光信号λｍを、第３のポートを通じて、第１〜第３の光受信器３４１〜３４３の内の第ｍの光受信器に出力する。また、第４〜第６のＷＤＭ３５０-４〜３５０-６の内の第(ｍ＋３)のＷＤＭは、第４〜第６の光送信器３３４〜３３６の内の第（ｍ＋３）の光送信器から、第２のポートを通じて入力された第(ｍ＋１)の光信号λｍ＋１を第１のポートに出力する。
【００６２】
第１のＡＷＧ３６２は、多重化ポート(ＭＰ)と第１〜第３の逆多重化ポート（ＤＰ）を有する。多重化ポートは、伝送ライン３０５と接続し、第１〜第３の逆多重化ポートは、第１〜第３のＷＤＭ３５０-１〜３５０-３と接続する。第１のＡＷＧ３６２は、多重化ポートに入力された第４〜第６の光信号λ４〜λ６を、第１〜第３の逆多重化ポートに逆多重化して出力する。また、第１のＡＷＧ３６２は、第１〜第３の逆多重化ポートに入力された第１〜第３の光信号λ１〜λ３を、多重化ポートに多重化して出力する。 
【００６３】
第２のＡＷＧ３６４は、多重化ポートと第１〜第３の逆多重化ポートとを有する。多重化ポートは、伝送ライン３０５と接続し、第１〜第３の逆多重化ポートは、第４〜第６のＷＤＭ３５０-４〜３５０-６と接続する。第２のＡＷＧ３６４は、多重化ポートに入力された第１〜第３の光信号λ１〜λ３を、第１〜第３の逆多重化ポートに逆多重化して出力する。また、第２のＡＷＧ３６４は、第１〜第３の逆多重化ポートに入力された第４〜第６の光信号λ４〜λ６を、多重化ポートに多重化して出力する。
【００６４】
図６は、環状ネットワークで伝送される光信号のスペクトルを示す図である。図６に示すように、反時計回りに伝送される第１〜第３の光信号λ１〜λ３の波長帯域と、時計回りに伝送される第４〜第６の光信号λ４〜λ６の波長帯域が、相互に異なるように割り当てられている。また、各波長帯域は、各ＡＷＧ３６２、３６４の一つの自由スペクトル領域(ｆｒｅｅ  ｓｐｅｃｔｒａｌ  ｒａｎｇｅ)に該当するように設定されている。これは、ＡＷＧ３６２、３６４の帯域通過特性が、自由スペクトル領域により周期的な特性を有する点を利用するためである。このような帯域の割り当てにより、ＡＷＧ３６２、３６４が２つの波長帯域を処理することが可能となる。  
【００６５】
図７は、第ｎのＷＤＭ３５０-ｎの通過スペクトルを示す図である。図７に示すように、第ｎのＷＤＭ３５０-ｎは、第１のポートに入力された２つの波長帯域を分離して、第２及び第３のポートに出力する。逆に、第ｎのＷＤＭ３５０-ｎは、第２及び第３のポートに入力された２つの波長帯域を合わせて、第１のポートに出力する。
【００６６】
更に、図５を参照すると、第１〜第３のリモートノード４００-１〜４００-３は、すべて同一の構成を有する。但し、処理する信号のみに差がある。すなわち、第１のリモートノード４００-１は、第１及び第４の光信号λ１、λ４を、各々分岐/結合し、第２のリモートノード４００-２は、第２及び第５の光信号λ２、λ５を、各々分岐/結合し、第３のリモートノード４００-３は、第３及び第６の光信号λ３、λ６を、各々分岐/結合する。
【００６７】
第１〜第３のリモートノード４００-１〜４００-３は、各々双方向光アド/ドロップマルチプレクサー２００-１〜２００-３と、第１の光送信器４２２-１，４２２-２，４２２-３と、第２の光送信器４２４-１，４２４-２，４２４-３と、第１の光受信器４３２-１，４３２-２，４３２-３と、第２の光受信器４３４-１，４３４-２，４３４-３と、第１のスイッチ４１２-１，４１２-２，４１２-３と、第２のスイッチ４１４-１，４１４-２，４１４-３と、を含む。 
【００６８】
以下、第ｍのリモートノード４００-ｍについて説明すると、下記の通りである。
【００６９】
送信端スイッチとしての第１のスイッチ４１２-ｍは、データの送信を担当し、受信端スイッチとしての第２のスイッチ４１４-ｍは、データの受信を担当する。第１及び第２のスイッチ４１２-ｍ、４１４-ｍは、障害がない場合には、バー状態を維持し、障害が生じた場合には、優先度の高いデータを送信又は受信するために、少なくとも一つのスイッチがクロス状態でスイッチングされる。
【００７０】
バー状態で、第１のスイッチ４１２-ｍは、優先度の高いデータが入力される高優先度端子Ｈを、第１の光送信器４２２-ｍに接続し、優先度の低いデータが入力される低優先度端子Ｌを、第２の光送信器４２４-ｍに接続する。クロス状態では、第１のスイッチ４１２-ｍは、高優先度端子Ｈを、第２の光送信器４２４-ｍに接続し、低優先度端子Ｌを、第１の光送信器４２２-ｍに接続する。
【００７１】
バー状態では、第２のスイッチ４１４-ｍは、優先度の高いデータを出力する高優先度端子Ｈを、第１の光受信器４３２-ｍに接続し、優先度の低いデータを出力する低優先度端子Ｌを、第２の光受信器４３４-ｍに接続する。クロス状態では、第２のスイッチ４１４-ｍは、高優先度端子Ｈを、第２の光受信器４３４-ｍに接続し、低優先度端子Ｌを、第１の光受信器４３２-ｍに接続する。 
【００７２】
第１及び第２の光送信器４２２-ｍ、４２４-ｍは、各々入力されたデータによって生成された光信号を出力し、第１及び第２の光送信器４２２-ｍ、４２４-ｍは、第１のスイッチ４１２-ｍと接続する。第１の光送信器４２２-ｍは、第ｍの光信号λｍを出力し、第２の光送信器４２４-ｍは、第(ｍ＋３)の光信号λｍ＋３を出力する。 
【００７３】
第１〜第２の光受信器４３２-ｍ、４３４-ｍは、各々入力された光信号をデータに変換して出力する。第１及び第２の光受信器４３２-ｍ、４３４-ｍは、第２のスイッチ４１４-ｍと接続する。第１の光受信器４３２-ｍは、第ｍの光信号λｍを受信し、第２の光受信器４３４-ｍは、第(ｍ＋３)の光信号λｍ＋３を受信する。 
【００７４】
図８は、第ｍのリモートノード４００-ｍの双方向光アド/ドロップマルチプレクサー２００-ｍを示す図である。双方向光アド/ドロップマルチプレクサー２００-ｍの構成は、図２に示した構成と同一であるため、光信号のアド/ドロップ過程のみについて説明する。第ｍの双方向光アド/ドロップマルチプレクサー２００-ｍが、伝送ライン３０５から、第ｍの光信号を分岐する過程について説明すると、下記のようである。
【００７５】
伝送ライン３０５を通じて第ｍの双方向光アド/ドロップマルチプレクサー２００-ｍに入力される第１〜第３の光信号λ１〜λ３のうち、第ｍの光信号λｍを除いた光信号は、第１及び第２のフィルター２１０-ｍ、２２０-ｍを順次通過して、伝送ライン３０５に出力される。第ｍの光信号λｍは、第１のフィルター２１０-ｍによって反射された後に、第２のフィルター２２０-ｍ及び第２の循環器２４０-ｍを通して、第１のドロップ端２６０-ｍに出力される。 
【００７６】
双方向光アド/ドロップマルチプレクサー２００-ｍが、伝送ライン３０５に第ｍの光信号を結合する過程について説明すると、下記のようである。 
【００７７】
第１のアド端２５０-ｍを通じて入力された第ｍの光信号λｍは、第１の循環器２３０-ｍを通じて、第１のフィルター２１０-ｍに入力される。第ｍの光信号λｍは、第１のフィルター２１０-ｍによって反射された後に、第２のフィルター２２０-ｍを通じて伝送ライン３０５に出力される。 
【００７８】
双方向光アド/ドロップマルチプレクサー２００-ｍが、伝送ライン３０５から第(ｍ＋３)の光信号λｍ＋３を分岐する過程を説明すると、下記のようである。 
【００７９】
伝送ラインを通じて双方向光アド/ドロップマルチプレクサー２００-ｍに入力される第４〜第６の光信号λ４〜λ６のうち、第(ｍ＋３)の光信号λｍ＋３を除いた光信号は、第２及び第１のフィルター２２０-ｍ、２１０-ｍを順次通過して、伝送ラインに出力される。第(ｍ＋３)の光信号λｍ＋３は、第２のフィルター２２０-ｍによって反射された後に、第１のフィルター２１０-ｍ及び第１の循環器２３０-ｍを通して第２のドロップ端２６５-ｍに出力される。 
【００８０】
双方向光アド/ドロップマルチプレクサー２００-ｍが、伝送ラインに第(ｍ＋３)の光信号λｍ＋３を結合する過程を説明すると、下記のようである。第２のアド端２５５-ｍを通じて入力された第(ｍ＋３)の光信号λｍ＋３は、第２の循環器２４０-ｍを通して、第２のフィルター２２０-ｍに入力され、第２のフィルター２２０-ｍによって反射された第(ｍ＋３)の光信号λｍ＋３は、第１のフィルター２１０-ｍを通じて伝送ラインに出力される。 
【００８１】
図９は、図５に示した環状ネットワークに障害が生じた場合を示す図である。図９は、第１のリモートノード４００−１と第２のリモートノード４００−２との間の伝送ラインが切断される障害が生じた場合を示すものである。環状ネットワーク３００で障害が生じると、伝送ライン３０５から双方向に進行する全体の光信号λ１〜λ６の中で、半分の光信号が失われる。この状態で、中央基地局３１０と各リモートノード４００-１〜４００-３は、各光受信器に入力される光信号の出力有無を通じて、伝送ライン３０５の障害可否と位置を把握できる。 
【００８２】
障害の発生により、第２及び第３のリモートノード４００-２、４００-３は、中央基地局３１０から反時計回りに伝送される第２及び第３の光信号λ２、λ３を受信することができない。第１のリモートノード４００-１は、中央基地局３１０から時計回りに伝送される第４の光信号λ４を受信することができない。障害の発生以前に、第４の光信号λ４には優先度の低いデータが乗せられており、第２及び第３の光信号λ２、λ３には優先度の高いデータが乗せられている。また、障害の発生により、第１のリモートノード４００-１から反時計回りに伝送される第１の光信号λ１を、中央基地局３１０が受信できなくなり、第２及び第３のリモートノード４００-２、４００-３から時計方向に伝送される第５及び第６の光信号λ５、λ６を、中央基地局３１０が受信することができない。障害の発生以前に、第５及び第６の光信号λ５、λ６には優先度の高いデータが乗せられており、第１の光信号λ１には優先度の高いデータが乗せられている。 
【００８３】
伝送ラインに障害が発生すると、中央基地局３１０は、優先度の高いデータを優先的に復旧するために、第２及び第３のスイッチ３２２、３２３をクロス状態でスイッチングする。したがって、優先度の高いデータは第５及び第６の光信号λ５、λ６に載せられるようになる。第２のリモートノード４００-２は、第２のスイッチ４１４-２を、クロス状態でスイッチングすることによって、第５の光信号λ５を受信し、第３のリモートノード４００-３は、第２のスイッチ４１４-３をクロス状態でスイッチングすることによって、第６の光信号λ６を受信する。 
【００８４】
障害が発生した後に、第１のリモートノード４００-１は、優先度の高いデータを優先的に復旧するために、第１のスイッチ４１２-１をクロス状態でスイッチングする。したがって、第４の光信号λ４に優先度の高いデータが乗せられるようになり、中央基地局３１０は、第４のスイッチをクロス状態でスイッチングすることによって第４の光信号λ４を受信する。 
【図面の簡単な説明】
【００８５】
【図１】一般的な双方向光アド/ドロップマルチプレクサーを示す図である。
【図２】本発明の好ましい実施形態による双方向光アド/ドロップマルチプレクサーを示す図である。
【図３】図２に示した双方向光アド/ドロップマルチプレクサーが第１の光信号を分岐/結合する過程を説明するための図である。
【図４】図２に示した双方向光アド/ドロップマルチプレクサーが第(Ｎ＋１)の光信号を分岐/結合する過程を説明するための図である。
【図５】本発明の実施形態による双方向光アド/ドロップマルチプレクサーを用いた双方向波長分割多重方式の環状ネットワークを示す図である。
【図６】図５に示した環状ネットワークで伝送される光信号のスペクトルを示す図である。
【図７】図５に示した第ｎの波長分割マルチプレクサー３５０-ｎを通過したスペクトルを示す図である。
【図８】図５に示した第ｍのリモートノード４００-ｍの双方向光アド/ドロップマルチプレクサー２００-ｍを示す図である。
【図９】図５に示した環状ネットワークに障害が生じた場合を示す図である。
【符号の説明】
【００８６】
２００：双方向光アド/ドロップマルチプレクサー
２１０：第１のフィルター
２２０：第２のフィルター
２３０：第１の循環器
２４０：第２の循環器
２５０：第１のアド端
２５５：第２のアド端
２６０：第１のドロップ端
２６５：第２のドロップ端
２７０：第１の光経路
２７５：第２の光経路
【図１】
2006094517.tif 000003
【図２】
2006094517.tif 000004
【図３】
2006094517.tif 000005
【図４】
2006094517.tif 000006
【図５】
2006094517.tif 000007
【図６】
2006094517.tif 000008
【図７】
2006094517.tif 000009
【図８】
2006094517.tif 000010
【図９】
2006094517.tif 000011